(57)【要約】追記型光記録媒体、例えば、ＢＤ−ＷＯ上の欠陥領域は、ディスクの欠陥領域、例えば、ＢＤ−ＷＯのデータ領域のスペア領域で記録されるデータを効率的に置換、または記録できる方法により効率的に管理される。データの再生中に、記録および置換されるデータは、スペア領域ではなく、他の領域で読込み、および再生できる。新しいＴＤＦＬ情報は欠陥領域に関する欠陥管理情報として以前のＴＤＦＬ情報と共に蓄積されて記録されるか、あるいは、任意の記録領域、例えば、リードイン領域、データ領域およびリードアウト領域から選ばれた記録領域で少なくとも２回繰り返し記録され、その結果、臨時欠陥リスト情報が正確でかつ信頼性をもって保護される。
2006500724.tif 000002
【特許請求の範囲】
【請求項１】
ユーザデータ領域において、少なくとも一つの欠陥領域を有する光記録媒体の管理方法であって、
置換データとして、前記光記録媒体のスペア領域において前記欠陥領域に記録されたデータを記録し、少なくとも一つの欠陥領域に欠陥エントリーを有する第１臨時欠陥リストを提供するステップと、
前記ユーザデータ領域内の付加欠陥領域に対して、蓄積臨時欠陥リストを記録するステップであって、前記蓄積臨時欠陥リストが、以前に記録された前記第１臨時欠陥リストおよび任意の付加欠陥リストに対する少なくとも一つの付加欠陥リストを含む、蓄積臨時欠陥リストを記録するステップと
を備えることを特徴とする光記録媒体の管理方法。
【請求項２】
前記記録媒体の臨時ディスク定義構造領域で、前記蓄積臨時欠陥リストに臨時ディスク定義構造情報としてアクセスするための情報を記録するステップをさらに備えることを特徴とする請求項１に記載の光記録媒体の管理方法。
【請求項３】
前記蓄積臨時欠陥リストおよび前記臨時ディスク定義構造情報は、前記光記録媒体の同一領域に記録されることを特徴とする請求項２に記載の光記録媒体の管理方法。
【請求項４】
前記蓄積臨時欠陥リストおよび前記臨時ディスク定義構造情報は、前記光記録媒体の臨時欠陥管理領域に記録されることを特徴とする請求項３に記載の光記録媒体の管理方法。
【請求項５】
ディスクの完了動作中に前記光記録媒体の特定の領域に分離されて提供される最終欠陥管理領域に、前記臨時ディスク定義構造情報および前記蓄積臨時欠陥リスト情報を記録するステップをさらに備えることを特徴とする請求項２に記載の光記録媒体の管理方法。
【請求項６】
ディスクの完了動作中に前記光記録媒体の特定の領域に分離されて提供される最終欠陥管理領域に、前記臨時ディスク定義構造情報および前記蓄積臨時欠陥リスト情報を記録するステップをさらに備えることを特徴とする請求項４に記載の光記録媒体の管理方法。
【請求項７】
前記光記録媒体は、追記型ブルーレイ・ディスク（ＢＤ−ＷＯ)であることを特徴とする請求項１に記載の光記録媒体の管理方法。
【請求項８】
前記光記録媒体は、書き換え可能なブルーレイ・ディスク(Blue-ray  disc  of  rewritable  type：ＢＤ-ＲＥ)であることを特徴とする請求項１に記載の光記録媒体の管理方法。
【請求項９】
前記光記録媒体は、ＢＤ−ＷＯであることを特徴とする請求項６に記載の光記録媒体の管理方法。
【請求項１０】
前記光記録媒体は、ＢＤ−ＲＥであることを特徴とする請求項６に記載の光記録媒体の管理方法。
【請求項１１】
前記それぞれの第１臨時欠陥リストおよび前記蓄積臨時欠陥リストは、前記それぞれの欠陥領域内のデータに関する管理情報を含むことを特徴とする請求項１に記載の光記録媒体の管理方法。
【請求項１２】
前記管理情報は、各欠陥エントリーに対する置換データの第１物理セクター番号および各欠陥エントリーに対する欠陥領域の第１物理セクター番号を含むることを特徴とする請求項１１に記載の光記録媒体の管理方法。
【請求項１３】
前記光記録媒体のスペア領域は内部スペア領域および外部スペア領域を含み、前記欠陥領域に記録されたデータを記録するステップは、前記内部スペア領域および前記外部スペア領域のうち、少なくとも一方を用いることを特徴とする請求項１に記載の光記録媒体の管理方法。
【請求項１４】
前記蓄積臨時欠陥リストは、前記光記録媒体の少なくとも２領域に繰り返し記録されることを特徴とする請求項１に記載の光記録媒体の管理方法。
【請求項１５】
前記光記録媒体の少なくとも２領域は、前記光記録媒体のデータ領域およびリードイン領域の一部であることを特徴とする請求項１４に記載の光記録媒体の管理方法。
【請求項１６】
前記データ領域の一部は、前記光記録媒体の外部スペア領域と隣り合う領域であることを特徴とする請求項１５に記載の光記録媒体の管理方法。
【請求項１７】
前記光記録媒体の少なくとも２領域は、前記光記録媒体のデータ領域の先端および後端部であることを特徴とする請求項１４に記載の光記録媒体の管理方法。
【請求項１８】
前記光記録媒体のリードイン領域に、臨時ディスク定義構造情報を記録するステップをさらに備えることを特徴とする請求項１４に記載の光記録媒体の管理方法。
【請求項１９】
データ領域内の少なくとも一つのスペア領域と、
前記データ領域のユーザデータ領域内で少なくとも一つの欠陥領域の置換データを管理するための臨時欠陥管理領域と、
前記臨時欠陥管理領域内に保存された蓄積臨時欠陥リストであって、蓄積されて記録された前記少なくとも一つの欠陥領域の置換データに関する管理情報と、前記ユーザデータ領域の少なくとも一つの付加欠陥領域に関する置換データ用管理情報とを含む蓄積臨時欠陥リストと
を備えたことを特徴とする記録媒体。
【請求項２０】
前記記録媒体のリードイン領域内の臨時ディスク定義構造をさらに備え、
前記蓄積臨時欠陥リストにアクセスするための記録情報は、前記臨時ディスク定義構造内で臨時ディスク定義構造情報として保存されることを特徴とする請求項１９に記載の記録媒体。
【請求項２１】
前記蓄積臨時欠陥リストおよび前記臨時ディスク定義構造情報は、前記光記録媒体のリードイン領域に記録されることを特徴とする請求項２０に記載の記録媒体。
【請求項２２】
前記蓄積臨時欠陥リストおよび前記臨時ディスク定義構造情報は、前記光記録媒体の臨時欠陥管理領域に記録されることを特徴とする請求項２１に記載の記録媒体。
【請求項２３】
前記臨時ディスク定義構造情報と、最終欠陥定義構造情報として完了した前記蓄積臨時欠陥リストと、最終欠陥管理リストとをそれぞれ含む最終欠陥管理領域をさらに備えたことを特徴とする請求項２０に記載の記録媒体。
【請求項２４】
前記臨時ディスク定義構造情報と、最終欠陥定義構造情報として完了した前記蓄積臨時欠陥リストと、最終欠陥管理リストとをそれぞれ含む最終欠陥管理領域をさらに備えたことを特徴とする請求項２２に記載の記録媒体。
【請求項２５】
前記光記録媒体は、ＢＤ-ＷＯであることを特徴とする請求項１９に記載の記録媒体。
【請求項２６】
前記光記録媒体は、ＢＤ-ＲＥであることを特徴とする請求項１９に記載の記録媒体。
【請求項２７】
前記光記録媒体は、ＢＤ−ＷＯであることを特徴とする請求項２４に記載の記録媒体。
【請求項２８】
前記光記録媒体は、ＢＤ−ＲＥであることを特徴とする請求項２４に記載の記録媒体。
【請求項２９】
前記蓄積臨時欠陥リストの前記管理情報のそれぞれは、各欠陥エントリーに対する置換えデータの第１物理セクター番号および各欠陥エントリーに対する欠陥領域の第１物理セクター番号を含むことを特徴とする請求項１９に記載の記録媒体。
【請求項３０】
少なくとも一つのスペア領域は内部スペア領域および外部スペア領域を含み、少なくとも一つの欠陥領域に関する置換えデータは、前記内部スペア領域および前記外部スペア領域のうち少なくとも一方に位置することを特徴とする請求項１９に記載の記録媒体。
【請求項３１】
前記蓄積臨時欠陥リストは、前記記録媒体の少なくとも２領域に繰り返し記録されることを特徴とする請求項１９に記載の記録媒体。
【請求項３２】
前記記録媒体の少なくとも２領域は、前記記録媒体のデータ領域およびリードイン領域の一部であることを特徴とする請求項３１に記載の記録媒体。
【請求項３３】
前記データ領域の一部は、前記記録媒体の外部スペア領域と隣接する領域であることを特徴とする請求項３２に記載の記録媒体。
【請求項３４】
前記記録媒体の少なくとも２領域は、前記記録媒体のデータ領域の先端部および後端部であることを特徴とする請求項３２に記載の記録媒体。
【請求項３５】
臨時ディスク定義構造情報を保存するリードイン領域をさらに備えたことを特徴とする請求項３１に記載の記録媒体。
【請求項３６】
少なくとも一つの臨時欠陥管理領域と、データ領域におけるスペア領域とを有する光記録媒体を管理する装置であって、
置換データとして、前記光記録媒体のスペア領域の少なくとも一つの欠陥領域に記録されたデータを記録し、少なくとも一つの欠陥領域に対する欠陥エントリーを有する第１臨時欠陥リストを提供する手段と、
ユーザデータ領域内の付加欠陥領域に対する蓄積臨時欠陥リストを記録する手段であって、前記蓄積臨時欠陥リストが、以前に記録された第１欠陥リストおよび任意の付加欠陥領域に対する少なくとも一つの付加欠陥エントリーを含む、蓄積臨時欠陥リストを記録する手段と
備えたことを特徴とする光記録媒体の管理装置。
【発明の詳細な説明】
【技術分野】
【０００１】
本発明は、高密度の光ディスク上で欠陥領域を管理する方法に関し、特に、追記型ブルーレイ・ディスク（Blue-ray  Disc  Write  Once；ＢＤ−ＷＯ）などの高密度の光ディスク上で、欠陥管理領域に関する欠陥管理情報を管理し、効率的に記録する方法とその装置に関する。
【背景技術】
【０００２】
光記録媒体として、高密度のデータの記録が可能な光ディスクが普及してきている。中でも、近年、高画質のビデオデータおよびオーディオデータが大容量の場合でも、記録および保存が可能な新しいＨＤ−ＤＶＤ（High-Density Digital Versatile Disc）、例えば、ＢＤ（Blue−ray Disc）が開発されている。
【０００３】
ブルーレイ・ディスクは、既存のＤＶＤよりもデータの記録能力がはるかに優れた次世代のＨＤ−ＤＶＤソリューションであり、最近、ブルーレイ・ディスクＨＤ−ＤＶＤ用世界標準仕様が構築された。ブルーレイ・ディスクは、既存のＤＶＤ技術に汎用される６５０ｎｍの波長を有する赤色レーザよりも高い密度を有する４０５ｎｍの波長を有するセラドン(青色紫外線）レーザを用いる。これにより、既存のＤＶＤよりも大量のデータが１．２ｍｍの厚さと、１２ｃｍの直径、および０．１ｍｍの厚さを有する光伝送レイヤを有するブルーレイ・ディスク上に保存できる。
【発明の開示】
【発明が解決しようとする課題】
【０００４】
そこで、本発明は、関連技術の制限および短所による１つ以上の不具合を実質的に解消する、追記型光ディスク上で欠陥領域を管理する方法を対象にする。
【０００５】
本発明の目的は、ディスクの欠陥領域に記録されたデータを置換データとして効率的に置換できる追記型光ディスク上における欠陥領域の管理方法を提供することにある。また、データ記録エラーを防ぐためにスペア領域に置換データを効率的に記録できる追記型光ディスク上における欠陥領域の管理方法を提供することにある。
【課題を解決するための手段】
【０００６】
上記目的を達成するために、本発明は、ユーザデータ領域で少なくとも一つの欠陥領域を有する光記録媒体を管理する方法により達成される。この方法は、光記録媒体のスペア領域内の欠陥領域に記録されたデータを記録すると共に、少なくとも一つの欠陥領域に対する欠陥エントリーを有する第１臨時欠陥リスクを与えるステップと、ユーザデータ領域に付加欠陥領域用蓄積臨時欠陥リスクを記録するステップとを含み、ここで、蓄積臨時欠陥リストは、以前に記録された第１臨時欠陥リスクと任意の付加欠陥領域用の少なくとも一つの付加欠陥エントリーと、を有することを特徴とする。
【０００７】
また、本発明は、データ領域内の少なくとも一つのスペア領域と、データ領域のユーザデータ領域内で少なくとも一つの欠陥領域の置換データを管理するための臨時欠陥管理領域と、臨時欠陥管理領域内に保存された蓄積臨時欠陥リストを有する記録媒体により達成される。ここで、蓄積臨時欠陥リストは、蓄積されて記録された少なくとも一つの欠陥領域の置換データ用管理情報と、ユーザデータ領域の少なくとも一つの付加欠陥領域用置換データに関する管理情報と、を有することを特徴とする。
【０００８】
また、本発明は、少なくとも一つの臨時欠陥管理領域とデータ領域内のスペア領域を有する光記録媒体の管理装置により達成される。この装置は、光記録媒体のスペア領域の少なくとも一つの欠陥領域に記録されたデータを置換データとして記録し、少なくとも一つの欠陥領域に対する欠陥エントリーを有する第１臨時欠陥リストを提供するデバイスと、ユーザデータ領域内の付加欠陥領域に対する蓄積臨時欠陥リストを記録するデバイスと、を有し、ここで、蓄積臨時欠陥リストは、以前に記録された第１臨時欠陥リストと任意の付加欠陥領域に対する少なくとも一つの付加欠陥エントリーを有することを特徴とする。
【０００９】
前述した本発明の概略の説明および後述する詳細な説明はいずれも例示的なものに過ぎず、特許請求の範囲に記載された本発明についてさらに詳細に説明するために提供されるものである。
【発明を実施するための最良の形態】
【００１０】
以下、添付した図面に基づき、本発明の好適な実施形態による追記型光ディスク上における欠陥領域の管理方法および装置について詳細に説明する。図中、同じ構成要素には同じ参照符号を付してその詳細な説明を省く。
【００１１】
ブルーレイ・ディスクに関する各種の標準が設けられるに伴い、ＢＤ−ＲＥおよびＢＤ−ＷＯ用規格は各種のアプリケーションに対して開発された。図１に示すように、例えば、ＢＤ−ＲＥなどの光ディスク上に信号を記録／再生するための装置は、光ディスク１０上に信号を記録／再生する光ピックアップ１１と、光ピックアップ１１から読み込まれた信号を処理したり、外部からのデータストリームを、変調された信号の処理のための記録に適した信号に変調するＶＤＲ（Ｖｉｄｅｏ Ｄｉｓｃ Ｒｅｃｏｒｄｅｒ）システム１２と、外部からのアナログ信号をエンコードし、エンコードされた信号をＶＤＲシステム１２に出力するエンコーダ１３と、を備える。
【００１２】
図２に示すように、ＢＤ−ＲＥは、リードイン領域（ＬＩＡ）、データ領域およびリードアウト領域（ＬＯＡ）に分割および割り当てられる。データ領域は、ユーザデータ領域、内部スペア領域（ＩＳＡ）、およびユーザデータ領域の先端および後端にそれぞれ割り当てられた外部スペア領域（ＯＳＡ）を備える。
【００１３】
光ディスク記録／再生装置のＶＤＲシステム１２は、前述したように、外部からのデータを記録に適した信号にエンコードおよび変調し、その後、例えば、特定の記録大きさを有するＥＣＣ(Error Correction Coding)ブロックのユニットに対応するユニットであるクラスターに変調信号を記録するように構成される。図２に示すように、欠陥領域がデータの記録中にデータ領域で検出されれば、欠陥領域に記録されたデータの置換に対する一連の置換動作は、例えば、ＩＳＡなどのスペア領域のクラスターで行われる。
【００１４】
これにより、欠陥領域がＢＤ−ＲＥのデータ領域に存在するとしても、光ディスク記録／再生装置のＶＤＲシステム１２は、スペア領域内の単一クラスターの欠陥領域に記録されたデータを記録する。データの再生中に、ＶＤＲシステム１２は、スペア領域内で置換／記録されたデータを読込および再生し、その結果、任意のデータの記録エラーを未然に防ぐことができる。
【００１５】
ＢＤ−ＷＯの提案に伴い、データは、ＢＤ−ＷＯ上で１回だけ記録可能であり、ＢＤ−ＷＯ上で書き換えができなくなる。しかし、ＢＤ−ＷＯは、繰り返して読み取ることが可能である。その結果、ＢＤ−ＷＯは、記録媒体上におけるデータの書き換えを希望しないか、あるいはそれを必要としない場合に役立つ。しかし、ＢＤ−ＷＯに対する効率的な欠陥領域管理スキームである上記ブルーレイ・ディスクの第２の標準化はまだ提供されていないため、これが必要となる。
【００１６】
図３は、本発明の好適な実施形態による光ディスク記録および／または再生デバイス２０のブロック図である。光ディスク記録および／または再生デバイス２０（以下、光ディスク記録／再生デバイス）は、データを光記録媒体２１に／から書込み／読込みする光ピックアップ２２、ピックアップ２２の対物レンズと記録媒体２１間の距離を保持するためにピックアップ２２を制御し、記録媒体２１上に関連トラックをトラッキングするサーボユニット２３、記録のために入力データを処理してピックアップ２２に提供し、記録媒体２１から読み込まれたデータを処理するデータプロセッサ２４、記録媒体２１に関連する欠陥管理データを有する情報およびデータを保存するメモリまたはストレージ２７、および記録／再生デバイス２０の動作および素子を制御するマイクロプロセッサまたはマイクロコンピュータ２６を備える。
【００１７】
また、記録媒体２１に／から書込み／読込みされたデータは、メモリ２７に保存される。記録／再生デバイス２０のコンポーネントはいずれも動作可能に結合される。この実施形態に例示された記録媒体２１は、ＢＤ−ＷＯなどの追記型記録媒体である。
【００１８】
図４Ａおよび図４Ｂは、本発明の一実施形態による単一レイヤＢＤ−ＷＯおよびデュアルレイヤＢＤ−ＷＯ光ディスクの構造を示している。図４Ａおよび図４Ｂに示すように、ＢＤ−ＷＯは、１または２つの記録レイヤを有する。図４Ａにおいて、単一記録レイヤ（レイヤ０）を有するＢＤ−ＷＯは、リードイン領域（ＬＩＡ）、データ領域、およびリードアウト領域（ＬＯＡ）からなる単一記録レイヤを備える。以下では、これを単一レイヤディスクと称する。
【００１９】
図４Ｂにおいて、デュアルレイヤＢＤ−ＷＯは２つの記録レイヤ（レイヤ０および１）を有する。以下、これをデュアルレイヤディスクと称する。第１記録レイヤ（レイヤ０）はＬＩＡ、データ領域、および外部ゾーンを有する。第２記録レイヤ（レイヤ１）は、ＬＯＡ、データ領域および外部ゾーンを有する。通常、データの記録は、デュアルレイヤディスクでは、点線の矢印にて示された方向に沿って行われる。単一レイヤディスクは２３．３，２５．０または２７．０ＧＢの記録能力を有するのに対し、デュアルレイヤディスクは４６．６，５０．０または５４．０ＧＢの記録能力を有する。
【００２０】
本発明の他の実施形態は、例えば、後述する各種の方法が単一レイヤＢＤ−ＷＯ、デュアルレイヤＢＤ−ＷＯまたはＢＤ−ＲＥなどの任意の種類の光ディスクにいずれも適用可能であるということに留意すべきである。さらに、この実施形態では、図３における光ディスク記録／再生デバイスを本発明の方法と結び付けて説明するが、特にこれに限定されることなく、この方法が実現できる記録／再生デバイスであれば、いずれも採用可能である。例えば、図１または図３に示したデバイス、例えば、ＶＤＲシステム１２または光ディスク記録／再生デバイス２０は、この方法を実現する上で使われる。
【００２１】
図５は、本発明の第１の実施形態による追記型光ディスク上における欠陥領域の管理方法を示している。例えば、ＢＤ−ＷＯ（追記型ブルーレイ・ディスク）は、ＬＩＡ（リードイン領域）、データ領域、およびＬＯＡ（リードアウト領域）を有する。データ領域は、ＰＳＮ（Ｐｈｙｓｉｃａｌ Ｓｅｃｔｏｒ Ｎｕｍｂｅｒ）およびＬＳＮ（Ｌｏｇｉｃａｌ Ｓｅｃｔｏｒ Ｎｕｍｂｅｒ）が同時に与えられるユーザデータ領域と、ＰＳＮだけが与えられる非ユーザデータ領域と、に分けられる。
【００２２】
図５に示すように、非ユーザデータ領域は、欠陥領域の置換データ用のＩＳＡ（内部スペア領域）およびＯＳＡ（外部スペア領域）に分割される。ＬＩＡは、欠陥領域の管理情報と置換されたデータを臨時に記録するためのＴＤＭＡ（Ｔｅｍｐｏｒａｒｙ Ｄｅｆｅｃｔ Ｍａｎａｇｅｍｅｎｔ Ａｒｅａ）と、欠陥管理情報を通常永久的に記録するためのＤＭＡ（Ｄｅｆｅｃｔ Ｍａｎａｇｅｍｅｎｔ Ａｒｅａ）とに分割される。しかし、図５は、ＴＤＭＡおよびＤＭＡの位置の例を示しただけであり、これらの位置は変わることもある。例えば、ＤＭＡはＬＯＡに配列され、ＴＤＭＡは、必要に応じてデータ領域に付加的に配列される。
【００２３】
通常の書き換え可能な光ディスクの場合には、ＤＭＡが制限された大きさを有するとしても、データはＤＭＡに繰り返し記録されてここから消去できるので、大きなＤＭＡを必要としない。しかし、追記型光ディスクの場合には、ある領域がデータの記録に使われるとき、この領域はデータの書き換えのために使用することができない。これにより、大きな欠陥管理領域は、この種の光ディスクに必要となる。また、追加記録が追記型光ディスク上で行われない場合は、例えば、追記型光ディスクが完成する場合、最終ＴＤＭＡ情報はＤＭＡに送られる必要がある。このような欠陥管理領域は、例えば、ＤＭＡと区別されるＴＤＭＡ（臨時ＤＭＡ）として呼ばれる。これにより、ＴＤＭＡは、本発明の追記型光ディスクの構造の著しい特徴とみることができる。
【００２４】
ＴＤＭＡにおいて、欠陥領域上の情報と置換領域の位置情報がリストの形で記録および管理されるＴＤＦＬ（臨時欠陥リスト）とディスクの通常の管理情報が記録される。本発明によれば、ＴＤＦＬの位置情報を保存するＴＤＤＳ（臨時ディスク定義構造）はＴＤＭＡに記録される。しかし、ＴＤＦＬとＴＤＤＳ間の関係および構造は、図６および図７を参照して後述する。
【００２５】
これに対し、図３に基づいて上述した光ディスク記録／再生デバイス２０は、データの記録動作中にユーザデータ領域の所定の記録領域にデータを順次記録する。データの記録動作が行われている間に欠陥領域を検出するために、１以上の物理トラック、または記録ユニット（ＢＤ−ＷＯの場合にはクラスター）に対応する記録大きさは所定の記録領域でＤＶＵ（欠陥検証ユニット）に設定される。また、このようなＤＶＵは、本発明の設計による大きさの範囲を有するように設定できる。
【００２６】
また、光ディスク記録／再生デバイス２０は、欠陥領域を検出する一連の動作を繰り返し行い、この動作は、ＤＶＵにデータを記録することによりデータが通常記録され、その後、ＤＶＵに記録されたデータを再生するかどうかをチェックするステップを含む。
【００２７】
例えば、図５に示すように、光ディスク記録／再生デバイス２０は、データを第１ないし第５クラスターＣｌｕｓｔｅｒ ＃１−＃５で第１ＤＶＵ（ＤＶＵ ＃１、ステップＳ１０）としてデータを順次記録することにより欠陥領域を検出し、その後、第１ＤＶＵに記録されたデータを順次再生する。欠陥領域が第２クラスター（ステップＳ１１）で検出されれば、光ディスク記録／再生デバイス２０はスペア領域で第２クラスターのデータ、例えば、光ディスク記録／再生デバイス２０の内部バッファ（または、メモリ２７）に臨時に保存された第２クラスターのデータを置換するための記録動作を行う。図５には、ＯＳＡにおいてデータを置換するプロセスが示されているが、ＩＳＡにデータが置換可能であることがわかる。
【００２８】
第２クラスターのデータはＯＳＡの後端またはその先端から置換される。前述した置換動作後、光ディスク記録／再生デバイス２０は、第１ＤＶＵの第３クラスターに記録されたデータを再び再生し、欠陥領域が同時に第４クラスター（ステップＳ１３）で検出されれば、光ディスク記録／再生デバイス２０はスペア領域（ステップＳ１４）で第４クラスターのデータ、例えば、光ディスク記録／再生デバイス２０の内部バッファまたはメモリに臨時に保存された第４クラスターのデータを置換する記録動作を行う。
【００２９】
これにより、第１ＤＶＵにおいて、通常記録された第１、第３および第５クラスターおよび２つの欠陥領域が記録され、外部スペア領域において第２クラスターおよび第４クラスターは置換される。
【００３０】
前述したように、欠陥領域の検出および置換動作がＤＶＵのユニット、例えば、ＤＶＵ＃１、ＤＶＵ＃２，．．．，ＤＶＵ＃ｎで繰り返し行われている間に、臨時シーケンスを有するデータ記録動作Ｒｅｃｏｒｄｉｎｇ １が終了すれば、光ディスク記録／再生デバイス２０は欠陥領域を管理する欠陥管理情報と、ＴＤＦＬ情報として置換されたデータを記録する。これにより、ＴＤＤＳおよびＴＤＦＬを記録する方法についての詳細を後述する。
【００３１】
図６は、ＴＤＤＳとＴＤＦＬ間の関係およびこれらの構造を示している。ＴＤＦＬは複数のエントリーを有する。ＴＤＦＬ内の各エントリーは欠陥領域の位置情報（欠陥の第１ＰＳＮ）と、置換された領域の位置情報（置換の第１ＰＳＮ）と、を備え、例えば、エントリーのこのような配列は既存の書き換え可能な光ディスクと同じ方式により使われる。ＴＤＤＳは、ディスクを管理する情報を含む領域であり、本発明に対し、ＴＤＤＳは、最新のＴＤＦＬの位置に関する情報（最新のＴＤＦＬが第１ＰＳＮ）を有する。
【００３２】
これにより、欠陥領域が管理を要求すると検出される度に、対応するエントリーはＴＤＦＬに記録される。ＴＤＦＬにおける記録が完了した後、対応するＴＤＦＬの位置を示す情報はＴＤＤＳに記録される。これにより、システムは、ＴＤＤＳを再生することにより、最近更新されたＴＤＦＬの位置に容易にアクセスでき、効率よい欠陥管理は、対応するＴＤＦＬのエントリーを確かめることにより可能になる。
【００３３】
ＴＤＤＳおよびＴＤＦＬは、図６に示したＴＤＭＡに記録される。ユーザが光ディスク上においてデータ記録を終了するためのディスク完了化(finalization)を要求すれば、ＴＤＭＡに保存された新しいＴＤＤＳおよびＴＤＦＬ情報を分離して配列されたＤＭＡにコピーおよび記録するための一連の動作は、ディスクを完了化する中に行われる。これにより、ディスクの再使用中にＤＭＡ領域を確かめることにより、対応するディスクが完了し、最終ＴＤＤＳおよびＴＤＦＬのコンテンツが確認されていることも分かり易い。ＤＭＡにＴＤＤＳおよびＴＤＦＬを記録する場合、これらの構造は完了した情報を示すためにＤＤＳ（ディスク定義構造）およびＤＦＬ（欠陥リスト）として呼ばれる。
【００３４】
図７は、本発明の第１の実施形態による追記型光ディスク上にＴＤＦＬを記録する方法を示している。この方法の主な特徴は、ＴＤＦＬの蓄積使用である。欠陥エントリーの保存が成功的な欠陥管理に大きく影響するため、蓄積記録方法は、エントリーがＴＤＦＬ情報の記録を通じて以前のＴＤＦＬ情報として蓄積して保護されるように用いられる。さらに、最終ＴＤＦＬ情報を単に確かめることにより、その箇所で生成された全ての欠陥情報は単一の参照位置で手軽に確認できる。
【００３５】
特に、２つの欠陥エントリーが第ｎ番目の記録ＴＤＦＬに存在すれば、以前に記録された２つの第Ｎ番目の欠陥エントリーＤｅｆｅｃｔ＿Ｅｎｔｒｙ ＃１およびＤｅｆｅｃｔ＿Ｅｎｔｒｙ ＃２はＴＤＦＬ ＃ｎ＋１の記録中に記録され、新生された一つのエントリーＤｅｆｅｃｔ＿Ｅｎｔｒｙ ＃３はＴＤＦＬ ＃ｎ＋１に付加される。その結果、ＴＤＦＬ ＃ｎ＋１には３つの欠陥エントリーが存在する。
【００３６】
図７には、３つのエントリーが順次配列されると示されているが、本発明はこれに限定されることがない。例えば、エントリーはＤｅｆｅｃｔ＿Ｅｎｔｒｙ ＃３、 ＃１、 ＃２などの特定の並べ替え方に応じて記録される。同じ方式において、ＴＤＦＬ ＃ ｎ＋２はＴＤＦＬ ＃ ｎ＋１情報と、Ｄｅｆｅｃｔ＿Ｅｎｔｒｙ ＃４など現在付加された新しい欠陥エントリーを有する。
【００３７】
図８ないし図１１は、本発明の第２の実施形態による追記型光ディスク上における欠陥領域の管理方法を示している。第１の実施形態によるＴＤＦＬの蓄積記録とは無関係に、第２の実施形態では、ディスクの他の領域で現在更新されるＴＤＦＬの繰り返し記録が行われる。例えば、第（ｎ＋１）番目のＴＤＦＬが更新されれば、第ｎ番目のＴＤＦＬのコンテンツとして記録された第（ｎ＋１）番目のＴＤＦＬ、および／または第（ｎ＋１）番目のＴＤＦＬに付加されたエントリーは少なくとも２回ディスクの他の領域に記録される。このため、本発明の第２の実施形態は第１の実施形態と同じ方式により、重要なＴＤＦＬ情報が失われることを防ぐために、控えとしてディスクにＴＤＦＬ情報のコピーを取る。
【００３８】
さらに、特に、図８は、本発明の第２の実施形態による追記型光ディスク上における欠陥領域の管理方法を示している。例えば、ＢＤ−ＷＯ（追記型ブルーレイ・ディスク）は、ＬＩＡ（リードイン領域）、データ領域およびＬＯＡ（リードアウト領域）を有する。データ領域は、ＰＳＮ（Ｐｈｙｓｉｃａｌ Ｓｅｃｔｏｒ Ｎｕｍｂｅｒ）およびＬＳＮ（Ｌｏｇｉｃａｌ Ｓｅｃｔｏｒ Ｎｕｍｂｅｒ）の動作時に与えられるユーザデータ領域と、ＰＳＮだけが与えられる非ユーザデータ領域と、に分割される。非ユーザデータ領域は、図８に示すように、欠陥領域の置換えデータ用ＯＳＡ（外部スペア領域）と、欠陥領域の管理情報および置換されたデータを記録するＴＤＦＬ（臨時欠陥リスト）領域と、に分割される。
【００３９】
図３に基づいて上述した光ディスク記録／再生デバイス２０は、データ記録動作中に図８のＢＤ−ＷＯのユーザデータ領域の所定の記録領域で順次データを記録する。データの記録動作が行われる間に欠陥領域を検出するために、１以上の物理トラックまたは記録ユニット（ＢＤ−ＷＯの場合には、単一クラスター）に対応する記録大きさは所定の記録領域でＤＶＵ（欠陥検証ユニット）に設定される。また、このようなＤＶＵは、システムの設計による大きさの範囲を有するように設定できる。
【００４０】
光ディスク記録／再生デバイス２０は、欠陥領域を検出する一連の動作を繰り返し行い、この動作は、ＤＶＵにデータを記録することによりデータが一般的に記録され、その後、ＤＶＵに記録されたデータを再生するかどうかを確かめるステップを含む。
【００４１】
例えば、図８に示すように、光ディスク記録／再生デバイス２０は、リードイン領域に分割配列されたＴＤＭＡ内の臨時欠陥リスト情報をメインＴＤＦＬＭａｉｎ＿ＴＤＦＬ情報として記録し、データ領域の記録領域のヘッドに配列されたＴＤＦＬ領域にＴＤＦＬ情報もサブＴＤＦＬＳｕｂ＿ＴＤＦＬ情報として繰り返し記録する。
【００４２】
図９に示すように、繰り返し記録されたメインおよびサブＴＤＦＬ情報は、複数の欠陥エントリー（Ｄｅｆｅｃｔ＿Ｅｎｔｒｙ ＃１−＃ｍ）を有する。欠陥エントリーの第１物理セクター番号(Ｆｉｒｓｔ ＰＳＮ ｏｆ Ｄｅｆｅｃｔｉｖｅ)および対応するデータが置き換えられる第１物理セクター番号（Ｆｉｒｓｔ ＰＳＮ ｏｆ Ｒｅｐｌａｃｅｍｅｎｔ）は、欠陥エントリーのそれぞれで相関的に記録される。
【００４３】
このため、光ディスク記録／再生デバイス２０は、リードイン領域に分離配列されるＴＤＭＡで繰り返し記録されたメインおよびサブＴＤＦＬ情報に早くアクセスするためのメインＴＤＦＬ Ｍａｉｎ＿ＴＤＦＬ情報およびＴＤＤＳ情報を記録する。ここで、例えば、図９に示すように、ＴＤＤＳ情報はメインＴＤＦＬ Ｍａｉｎ＿ＴＤＦＬ情報およびサブＴＤＦＬ Ｓｕｂ＿ＴＤＦＬ情報のそれぞれに含まれた新しい最新ＴＤＦＬ ＴＤＦＬ ＃２を示すための物理セクター番号Ｆｉｒｓｔ ＰＳＮ ｏｆ ｌａｔｅｓｔ Ｍ＿ＴＤＦＬおよびＦｉｒｓｔ ＰＳＮ ｏｆ ｌａｔｅｓｔＳ＿ＴＤＦＬを有する。
【００４４】
また、ユーザが光ディスク上でデータ記録を終了するためのディスク完了を要請すれば、ＴＤＭＡに保存されたＴＤＤＳおよびメインＴＤＦＬ情報をリードイン領域に分離配列された１以上のＤＭＡにコピーおよび記録するための一連の動作は、図９に示すように行われる。
【００４５】
このため、ＢＤ−ＷＯに記録されたメインＴＤＦＬ情報に欠陥が含まれるならば、光ディスク記録／再生デバイス２０は繰り返し記録されたサブＴＤＦＬを選択的にまたは結合して探索でき、その結果、ＴＤＦＬ情報のセキュリティ性および統合性が上がる。
【００４６】
これにより、ＴＤＦＬ情報は、前述したように、２回以上に記録される。図１０に示すように、ＴＤＦＬ情報は、リードイン領域、つまり、データ領域に先行する記録領域およびデータ領域のエッジにおける記録領域（図１０においてＯＳＡの隣）に２回以上記録できる。また、図１１に示すように、ＴＤＦＬ情報はデータ領域の先端部または後端部に２回以上記録されるか、あるいは、ここに順次記録される。
参考までに、本発明による少なくとも２回繰り返し記録されたＴＤＦＬ情報は、他の記録領域だけではなく、図８ないし図１１に基づいて説明された特定の記録領域、例えば、外部スペア領域の部分記録領域またはリードアウト領域で分割されて記録される。また、ＴＤＤＳ情報は情報の安定性を保証するために少なくとも２回繰り返し記録される。
【産業上の利用可能性】
【００４７】
大容量のデータが光記録媒体に記録可能な光ディスクは、従来より広く使われつつある。開発中にあるこれらの新しい高密度の物理フォーマットとしては、高品質のビデオおよびオーディオデータが大容量にて記録および保存できる新規なＨＤ−ＤＶＤ（高密度ＤＶＤ）、例えば、ＢＤ（ブルーレイ・ディスク）が挙げられる。
【００４８】
以上、本発明について詳細に説明したが、本発明は前述した実施形態に限定されることなく、この技術分野における当業者であれば、本発明の技術的な範囲を逸脱しない範囲内で各種の修正および変形が可能である。よって、本発明の技術的な範囲は特許請求の範囲によって定められるべきである。
【図面の簡単な説明】
【００４９】
【図１】本発明の一実施形態による通常の光ディスク記録／再生装置の構造を示す概略図である。
【図２】通常のＢＤ−ＲＥ上における欠陥領域の管理方法を示す図である。
【図３】本発明の他の実施形態による光ディスクの記録および再生デバイスのブロック図である。
【図４Ａ】本発明の他の実施形態による単一レイヤＢＤ−ＷＯおよびデュアルレイヤＢＤ−ＷＯ光ディスクの構造を示す図である。
【図４Ｂ】本発明の他の実施形態による単一レイヤＢＤ−ＷＯおよびデュアルレイヤＢＤ−ＷＯ光ディスクの構造を示す図である。
【図５】本発明の第１の実施形態による追記型光ディスク上において欠陥領域を管理する方法を示す図である。
【図６】本発明の第１の実施形態による追記型光ディスク上における欠陥領域の管理方法により生成されて記録される管理情報を示す図である。
【図７】本発明による追記型光ディスク上に臨時欠陥リスクを記録する方法を示す図である。
【図８】本発明の第２の実施形態による追記型光ディスク上における欠陥領域の管理方法を示す図である。
【図９】本発明の第２の実施形態による追記型光ディスク上における欠陥領域の管理方法により生成されて記録される管理情報を示す図である。
【図１０】本発明の第２の実施形態による追記型光ディスク上における欠陥領域の管理方法の例を示す図である。
【図１１】本発明の第２の実施形態による追記型光ディスク上における欠陥領域の管理方法の例を示す図である。
【図１】
2006500724.tif 000003
【図２】
2006500724.tif 000004
【図３】
2006500724.tif 000005
【図４Ａ】
2006500724.tif 000006
【図４Ｂ】
2006500724.tif 000007
【図５】
2006500724.tif 000008
【図６】
2006500724.tif 000009
【図７】
2006500724.tif 000010
【図８】
2006500724.tif 000011
【図９】
2006500724.tif 000012
【図１０】
2006500724.tif 000013
【図１１】
2006500724.tif 000014
【国際調査報告】
2006500724.tif 000015
2006500724.tif 000016